(57)【要約】【課題】  履物を日常生活でも着用できるようにその活用性を極大化させ、中底と外底間の異物混入を防止することによって、不規則なジャンプや各部品の損傷を事前に防止するジャンプ用の履物を提供する。【解決手段】  履物の中底と外底間に介在させたスプリングをケース内部に取付けスプリングを隠蔽し、外底と中底間には伸縮性を有する遮断幕を取付けて中底と外底間に異物が混入することを防止し、かつ外底には履物と固定する締め固定手段を取付け弾性体の弾性力を抑えることによって、履物の日常的な使用ができるようにする。
2007520241.tif 000002
【特許請求の範囲】
【請求項１】
足に合うように締める靴ひも１０２が形成された履物１０の底面に中底２０を一体として形成し、その底面には下部が開放された複数の上部ケース２０２を取付け、中底２０の下部には中底２０と平行に一定間隔離隔された状態で外底３０を形成し、その上面には上部が開放された複数の下部ケース３０２を取付け、互いに嵌め合う上部ケース２０２と下部ケース３０２の内部にコイルスプリング４０を介在させたジャンプ用の履物１０において、中底２０と外底３０のまわりが完全に包まれるように伸縮性を有する遮断幕５０を配設し、外底３０には連結バンド６０を固定し、その連結バンド６０の両端部が遮断幕５０の両側面に形成された排出孔５０２に排出されるようにし、前記連結バンド６０の両端部には絞め固定手段を形成して連結バンド６０の両端部間を締めて固定することができるようにしたジャンプ用の履物。
【請求項２】
連結バンド６０はその中間部を下部ケース３０２と外底３０の間に介在させ、連結バンド６０の一端部にはベルクロテープ７０ａを形成し、他端部には連結孔６０２を形成したことを特徴とする請求項１に記載のジャンプ用の履物。
【請求項３】
締め固定手段はバックルバンド７０ｂであることを特徴とする請求項１に記載のジャンプ用の履物。
【発明の詳細な説明】
【技術分野】
【０００１】
本発明はジャンプ用の履物に関するもので、より詳しくは、履物の中底と外底間に弾力体を介在させ、弾力体の弾性を利用したジャンピングを可能にするだけでなく、弾力体の弾性を抑える固定部材を用いて普段でも使用できるジャンプ用の履物に関するものである。
【背景技術】
【０００２】
ジャンプ用の履物というのは、足に着用する履物の下部にジャンプのための弾力体を介在させ、履物着用後弾力体の弾力を用いてジャンプできるようにすることによって、楽しさとスリルを満喫できるだけでなく、下肢の運動効果を得ることができるように発明されたものであり、国内外で多様な形態のジャンプ用の履物が特許や実用として出願或いは実際に製品が開発され、発売開始された状態である。
【０００３】
前記従来の製品は添付した図７のごとく多くの形態として履物１′の下部には中底２′を形成し、この中底と平行に一定間隔離隔された状態で外底３′を形成して、その間に弾性力を有するコイルスプリング４′のような弾性体を介在させることによって、中底と外底間に介在させた弾性体の弾性力によってジャンプができるような構成からなっている。
【０００４】
しかし、前記のような従来のジャンプ用の履物は着用後歩くだけで着用者の体重によって弾性体が圧縮、復元する弾性力が作用し普通に歩くときもぴょんぴょん走る形態となるので、ジャンプ遊びをするには有用であるが日常生活上着用する場合、またはジャンピングを抑制しなければならない状況でもジャンピング抑制ができずその用途が遊戯用に限られてしまうという問題点があった。
【０００５】
しかも、中底と外底間に介在させたコイルスプリングのような弾性体が外部に露出し、かつ中底と外底間が開放されているのでジャンプ用の履物を履いて遊戯を楽しむ際に中底と外底間に石などのような異物が入って不規則なジャンプを誘発することにより、着用者の足首や身体の負傷等をもたらす可能性があるだけでなく、コイルスプリングの損傷や中底や外底の損傷を誘発し履物の寿命を縮めさせるという問題点があった。
【発明の開示】
【発明が解決しようとする課題】
【０００６】
本発明は前記した点に鑑みてなされたものであり、その目的とするところは、前記の履物を日常生活でも着用できるようにその活用性を極大化させ、中底と外底間の異物混入を防止することによって、不規則なジャンプや各部品の損傷を事前に防止することにある。
【課題を解決するための手段】
【０００７】
前記の目的を達成するために本発明は、履物の中底と外底間に介在させるスプリングをケース内部に取付けてスプリングを隠蔽し、外底と中底間には伸縮性を有する遮断幕を取付けて中底と外底間に異物が混入することを防止し、かつ外底には履物と固定する締め固定手段を取付けて弾性体の弾性力を抑えることによって、履物の日常的な使用ができるようにしたものである。
【発明の効果】
【０００８】
以上のごとく、本発明は、履物の底にコイルスプリングを介在させ、コイルスプリングの弾性力を利用してジャンピング機能を提供することによって、使用者にとって楽しさとスリルを満喫することができる遊戯を提供するだけでなく、ランニング、ジャンピングなどを通して優れた運動効果を発揮し、かつ、身体の均衡感覚を向上させ、成長期の子供たちへの発育に大きな効果がある。なお、使用者の意図にしたがってジャンピング機能の使用を抑制することができるので日常生活でも便利に使用でき、その実用性や商品性面で非常に優秀な利点がある。
【発明を実施するための最良の形態】
【０００９】
足に合うように締める靴ひも１０２が形成された履物１０の底面に中底２０を一体として形成し、その底面には下部が開放された複数の上部ケース２０２を取付け、中底２０の下部には中底２０と平行に一定間隔離隔された状態で外底３０を形成し、その上面には上部が開放された複数の下部ケース３０２を取付け、互いに嵌め合う上部ケース２０２と下部ケース３０２の内部にコイルスプリング４０を介在させたジャンプ用の履物１０において、中底２０と外底３０のまわりが完全に包まれるように伸縮性を有する遮断幕５０を配設し、外底３０には連結バンド６０を固定し、その連結バンド６０の両端部が遮断幕５０の両側面に形成された排出孔５０２に排出されるようにし、前記連結バンド６０の両端部にはベルクロテープ７０ａやバックルバンド７０ｂのような絞め固定手段を形成して連結バンド６０の両端部間を締めて固定することができるようにした構成である。
【００１０】
一方、前記連結バンド６０は、その中間部を下部ケース３０２と外底３０の間に介在させ、連結バンド６０の一端部にはベルクロテープ７０ａを形成し、他端部には連結孔６０２を形成した構成である。以下、本発明による好適な実施形態を添付図面に依拠してより詳しく説明する。
【実施例】
【００１１】
図１は本発明の主要構成を示す正面断面例示図で、図面のように履物１０は足首の保護のために足首の高さまで覆うことができ、靴ひも１０２を利用して足に合うように締めて安定した履き心地を維持するようになる。
【００１２】
履物１０の下部には接着などの方法で一体化された中底２０を形成し、その底面には下部が開放された上部ケース２０２をスクリューなどを利用して堅く取付ける。
【００１３】
ちなみに、中底２０の下部には中底２０と一定間隔を維持させながら平行を成す外底３０を形成するようになるが、この外底３０の上部には中底２０に取付けた上部ケース２０２と対向するよう上部が開放された下部ケース３０２をスクリューなどを利用して堅く固定した後、下部ケース３０２を上部ケース２０２の内部に嵌め込むようになるが、この際、上部ケース２０２と下部ケース３０２の内部空間には強い弾性を有するコイルスプリング４０を介在させることによって、履物１０の中底２０と外底３０間にコイルスプリング４０の弾性力が作用するようになる。
【００１４】
この際、上部ケース２０２と下部ケース３０２が結合された内部空間に介在させるコイルスプリング４０は圧縮コイルスプリング４０を使用するのが好適であり、ジャンプ用の履物１０を着用する使用者の体重によって多様なスプリングのバネ定数を有するコイルスプリング４０を適切に使用するのが好ましいであろう。
【００１５】
一方、コイルスプリング４０の弾性力が作用する中底２０と外底３０のまわりには伸縮性を有する遮断幕５０を配設し、内部に配設された上部ケース２０２と下部ケース３０２が外部と完全に隠蔽されるようにして中底２０と外底３０の間に外部の異物が混入することを防止するようになる。
【００１６】
また、外底３０の上部には連結バンド６０を配設するようになるが、連結バンド６０の配設は、配設状態を堅固に維持するための接着ではなく、下部ケース３０２を固定するスクリューを利用して下部ケース３０２と連結バンド６０が一緒に外底３０に固定されるようにするのが好ましいであろう。
【００１７】
このように固定された連結バンド６０の両端部は、中底２０と外底３０間に配設された遮断幕５０の両側面上部に形成された排出孔５０２を通して外部に排出するようになるが、この連結バンド６０の一端部にはベルクロテープ７０ａを形成し、他端部には連結孔６０２を形成し、ベルクロテープ７０ａを連結孔６０２の下部に投入した後、上部へ排出して付着させると堅固な固定状態を維持することができ、ベルクロテープ７０ａを利用した強い締付けが可能になる。
【００１８】
したがって、ジャンプ用の履物１０を利用してジャンプを楽しむ時は履物１０を着用した後、履物１０の中底２０に取付けた上部ケース２０２と外底３０に取付けた下部ケース３０２の間に挿設されたコイルスプリング４０に圧力が加えられないように、図３のように中底２０と外底３０の距離を維持してベルクロテープ７０ａを履物１０などの上で堅固に固定すると履物１０を着用した使用者が歩くたびに着用者の重量によって、図４のように中底２０と外底３０間に介在させたコイルスプリング４０が圧縮され復元するカが作用し、着用者が高くジャンプすることができるジャンピング力を提供するようになる。
【００１９】
また、使用者がコイルスプリング４０の弾性力によるジャンピング機能を抑制したい時、または日常生活でジャンプ用の履物１０を履きたい時は、連結バンド６０に繋がれたベルクロテープ７０ａを最大限締めて固定すれば、履物１０の底面に形成された中底２０と締め固定手段を連結する連結バンド６０が配設された外底３０間の距離が短くなる。
【００２０】
したがって、中底２０の底面に取付けた上部ケース２０２と外底３０の上面に取付けた下部ケース３０２が触れ合うようになり、コイルスプリング４０の弾性によるジャンピング機能が抑制されることによって、ジャンプ用の履物１０を一般の靴のように使用することができるようになる。
【００２１】
図５ないし図６は、本発明のさらに他の実施例を示すもので、連結バンド６０の端部に形成される締め固定手段でバックルバンド７０ｂを適用したものであって、バックルバンド７０ｂは主にインラインスケートに使われる締め固定手段で、ベルクロテープ７０ａより更に堅固に固定状態を維持することができるので、成人向けジャンプ用の履物１０、或いはスプリングのバネ定数の高いコイルスプリング４０を使う場合は、このように堅固な固定状態が維持できるバックルバンド７０ｂなどを締め固定手段として使用するのが好ましい。他にも紐やボタンなどさまざまな形態の多様な締め固定手段を応用・適用して等しい効果を発揮することができるようになる。
【００２２】
なお、本発明の締め固定手段は履物の背中部分だけを図示したが、これは本発明の履物を使う着用者の体重や履物の大きさにしたがって、それ以上の数に配置することができることをあらかじめ明らかにしておくところであり、本発明は最も好ましい前記実施例を参考して説明したが本発明の技術思想範囲内で多様な変形実施が可能であることは勿論のことである。
【図面の簡単な説明】
【００２３】
【図１】本発明に係る正面断面例示図。
【図２】本発明に係る側面例示図。
【図３】本発明に係る側面断面例示図。
【図４】本発明に係るコイルスプリングが圧縮された側面断面例示図。
【図５】本発明のさらに他の実施例を示す例示図。
【図６】本発明のさらに他の実施例を示す例示図。
【図７】従来のジャンプ用の履物を示す例示図。
【符号の説明】
【００２４】
１０…履物
１０２…靴ひも
２０…中底
２０２…上部ケース
３０…外底
３０２…下部ケース
４０…コイルスプリング
５０…遮断幕
５０２…排出孔
６０…連結バンド
６０２…連結孔
７０ａ：ベルクロテープ
７０ｂ：バックルバンド
【図１】
2007520241.tif 000003
【図２】
2007520241.tif 000004
【図３】
2007520241.tif 000005
【図４】
2007520241.tif 000006
【図５】
2007520241.tif 000007
【図６】
2007520241.tif 000008
【図７】
2007520241.tif 000009
【国際調査報告】
2007520241.tif 000010
2007520241.tif 000011